(57)【要約】      （修正有）【課題】使用時に脚管の傾斜角度が小さくよく付勢され、折り畳まれた後、各部材がコンパクトに接近するので、折り畳み体積がより小さくなり、空間を占めず、より便利に携帯と運送される、軽量化折り畳み椅子を提供する。【解決手段】座面１３と底部ブラケット部品とを備える軽量化折り畳み椅子であって、前記底部ブラケット部品の中部のフレーム部材が左後連結部材１と、右後連結部材２と、左前連結部材３と、右前連結部材４と、前記左後連結部材、右後連結部材、左前連結部材、右前連結部材を順番に連結させる後水平管５と、左水平管６と、前水平管７と、右水平管８とを備え、前記左後連結部材、右後連結部材の上端に何れも弾性糸を介して背もたれ管が挿脱連結されており、前記左前連結部材、右前連結部材の上端に何れも弾性糸を介して上ステー管１１が挿脱連結されている。【選択図】図１
0003234613.tif 000002
【実用新案登録請求の範囲】
【請求項１】
座面と底部ブラケット部品とを備え、前記座面が前記底部ブラケット部品の上端に連結される軽量化折り畳み椅子であって、
前記底部ブラケット部品が底部ブラケット部品の中部のフレーム部材を備え、前記底部ブラケット部品の中部のフレーム部材が左後連結部材と、右後連結部材と、左前連結部材と、右前連結部材と、前記左後連結部材、右後連結部材、左前連結部材、右前連結部材を順番に連結させる後水平管と、左水平管と、前水平管と、右水平管とを備え、前記後水平管と前水平管とが対向して設けられ、前記後水平管の一端が弾性糸を介して前記左後連結部材に挿脱連結され、他端がリベットを介して前記右後連結部材に回転連結され、前記前水平管の一端がリベットを介して前記左前連結部材に回転連結され、他端が弾性糸を介して前記右前連結部材に挿脱連結され、前記前水平管、後水平管、右水平管、左水平管が挿脱と回転連結により底部ブラケット部品の中部のフレーム部材が折り畳まれることを実現させ、
前記左後連結部材、右後連結部材の上端に何れも弾性糸を介して背もたれ管が挿脱連結されており、前記左前連結部材、右前連結部材の上端に何れも弾性糸を介して上ステー管が挿脱連結されており、前記左後連結部材、右後連結部材、左前連結部材、右前連結部材の下端に何れも弾性糸を介して脚管が挿脱連結されていることを特徴とする、軽量化折り畳み椅子。
【請求項２】
前記左水平管の両端がそれぞれ前記左前連結部材、左後連結部材に固定連結され、前記右水平管の両端がそれぞれ前記右前連結部材、右後連結部材に固定連結されることを特徴とする、請求項１に記載の軽量化折り畳み椅子。
【請求項３】
何れの前記背もたれ管が背もたれ上管と背もたれ下管とを備え、前記背もたれ上管と背もたれ下管が弾性糸を介して挿脱連結され、前記背もたれ下管の下端が弾性糸を介して前記左後連結部材又は右後連結部材に挿脱連結され、前記背もたれ上管の上端が弾性糸を介して弾性糸固定端プラグに挿脱連結されることを特徴とする、請求項１に記載の軽量化折り畳み椅子。
【請求項４】
何れの前記上ステー管の上端が弾性糸を介して弾性糸固定端プラグに挿脱連結されることを特徴とする、請求項１に記載の軽量化折り畳み椅子。
【請求項５】
前記座面の４つの端点がそれぞれ背もたれ管又は上ステー管の上端に連結され、前記上ステー管の長さが前記背もたれ管の長さよりも小さいことを特徴とする、請求項３又は４に記載の軽量化折り畳み椅子。
【請求項６】
何れの前記脚管の下端が弾性糸を介して弾性糸固定端プラグに挿脱連結されることを特徴とする、請求項１に記載の軽量化折り畳み椅子。
【請求項７】
何れの前記脚管の下端に脚用スリーブが取り付けられていることを特徴とする、請求項６に記載の軽量化折り畳み椅子。
【請求項８】
前記折り畳み椅子は折り畳まれることを実現でき、まず、左水平管と右水平管を外へ引き、後水平管が左後連結部材から外れ、前水平管が右前連結部材から外れ、その後右水平管と後水平管を反転させて、右水平管と前水平管とを揃え、後水平管と左水平管とを揃え、次に前水平管と右水平管を押し動かして、前水平管と右水平管を回転させ、前水平管、右水平管が後水平管、左水平管へ接近し、束状に折り畳まれることを実現させ、最後に、脚管、背もたれ管、上ステー管を順番に引き抜き、それらが折り畳まれた後の前水平管、右水平管、後水平管、左水平管へ接近し平行となり、最終的に折り畳まれることを実現させることを特徴とする、請求項１に記載の軽量化折り畳み椅子。
【考案の詳細な説明】
【技術分野】
【０００１】
本考案は、椅子の技術分野に関し、詳しくは軽量化折り畳み椅子に関する。
【背景技術】
【０００２】
折り畳み椅子は現在家庭でよく使われる物品であり、外出時の常備品でもあるが、現在の折り畳み椅子にいくつかのデメリットがある。従来の折り畳み椅子がリンク機構を介して連動して折り畳まれ、折り畳まれた後片状又は束状となり、コンパクトに折り畳まれず、体積がやや大きく、携帯しにくいことと、従来の小さく折り畳まれた椅子の脚管の開き角度が大き過ぎ、付勢されて安定せず、又は主なる耐荷重部材がプラスチック部品を介して連結され、柔らかくて、座る場合椅子全体が揺れる幅が大き過ぎ、剛性に劣ることとを含む。
【０００３】
これらのデメリットにより折り畳み椅子が使用時に不便になり、折り畳み椅子が本来有すべき実用性と利便性が大幅に軽減され、ユーザの使用体験も大きく損なわれた。
【考案の概要】
【０００４】
本考案は従来技術の不足を解決するために、軽量化折り畳み椅子を提供することを目的とする。
【０００５】
本考案の目的は以下の技術的手段により実現されるものである。
【０００６】
座面と底部ブラケット部品とを備え、前記座面が前記底部ブラケット部品の上端に連結される軽量化折り畳み椅子であって、
前記底部ブラケット部品が底部ブラケット部品の中部のフレーム部材を備え、前記底部ブラケット部品の中部のフレーム部材が左後連結部材と、右後連結部材と、左前連結部材と、右前連結部材と、前記左後連結部材、右後連結部材、左前連結部材、右前連結部材を順番に連結させる後水平管と、左水平管と、前水平管と、右水平管とを備え、前記後水平管と前水平管とが対向して設けられ、前記後水平管の一端が弾性糸を介して前記左後連結部材に挿脱連結され、他端がリベットを介して前記右後連結部材に回転連結され、前記前水平管の一端がリベットを介して前記左前連結部材に回転連結され、他端が弾性糸を介して前記右前連結部材に挿脱連結され、前記前水平管、後水平管、右水平管、左水平管が挿脱と回転連結により底部ブラケット部品の中部のフレーム部材が折り畳まれることを実現させ、
前記左後連結部材、右後連結部材の上端に何れも弾性糸を介して背もたれ管が挿脱連結されており、前記左前連結部材、右前連結部材の上端に何れも弾性糸を介して上ステー管が挿脱連結されており、前記左後連結部材、右後連結部材、左前連結部材、右前連結部材の下端に何れも弾性糸を介して脚管が挿脱連結されている軽量化折り畳み椅子。
【０００７】
さらに、前記左水平管の両端がそれぞれ前記左前連結部材、左後連結部材に固定連結され、前記右水平管の両端がそれぞれ前記右前連結部材、右後連結部材に固定連結される。
【０００８】
さらに、何れの前記背もたれ管が背もたれ上管と背もたれ下管とを備え、前記背もたれ上管と背もたれ下管が弾性糸を介して挿脱連結され、前記背もたれ下管の下端が弾性糸を介して前記左後連結部材又は右後連結部材に挿脱連結され、前記背もたれ上管の上端が弾性糸を介して弾性糸固定端プラグに挿脱連結される。
【０００９】
さらに、何れの前記上ステー管の上端が弾性糸を介して弾性糸固定端プラグに挿脱連結される。
【００１０】
さらに、前記座面の４つの端点がそれぞれ背もたれ管又は上ステー管の上端に連結され、前記上ステー管の長さが前記背もたれ管の長さよりも小さい。
【００１１】
さらに、何れの前記脚管の下端が弾性糸を介して弾性糸固定端プラグに挿脱連結される。
【００１２】
さらに、何れの前記脚管の下端に脚用スリーブが取り付けられている。
【００１３】
さらに、前記折り畳み椅子は折り畳まれることを実現でき、まず、左水平管と右水平管を外へ引き、後水平管が左後連結部材から外れ、前水平管が右前連結部材から外れ、その後右水平管と後水平管を反転させて、右水平管と前水平管とを揃え、後水平管と左水平管とを揃え、次に前水平管と右水平管を押し動かして、前水平管と右水平管を回転させ、前水平管、右水平管が後水平管、左水平管へ接近し、束状に折り畳まれることを実現させ、最後に、脚管、背もたれ管、上ステー管を順番に引き抜き、それらが折り畳まれた後の前水平管、右水平管、後水平管、左水平管へ接近し平行となり、最終的に折り畳まれることを実現させる。
【００１４】
以上をまとめると、上記技術的手段を用いるので、本考案は、従来技術に比べ、以下のメリットを有する。
【００１５】
本考案は挿脱と回転により、折り畳まれることを実現させ、後水平管、左水平管、前水平管、右水平管を椅子の中部に設け、使用時に脚管の傾斜角度が小さくよく付勢されることを確保し、本考案に係る折り畳み椅子は高い耐荷重要求を満足できる。本考案は、折り畳まれた後、各部材がコンパクトに接近するので、折り畳み体積がより小さくなり、空間を占めず、より便利に携帯と運送されることを確保できる。
【図面の簡単な説明】
【００１６】
【図１】本考案の概略構成図である。
【図２】本考案に係る底部ブラケット部品の概略構成図である。
【図３】本考案に係る底部ブラケット部品の挿脱状態を示す模式図である。
【図４】本考案に係る後水平管、前水平管と左後連結部材、右前連結部材とが分離することを示す模式図である。
【図５】右水平管と後水平管後を反転させた状態を示す模式図である。
【図６】前水平管と右水平管を回転させた状態を示す模式図である。
【図７】本考案に係る底部ブラケット部品が完全に折り畳まれた状態を示す模式図である。
【考案を実施するための形態】
【００１７】
以下、添付図面を参照しながら本考案の具体的な実施態様をさらに詳述する。
【００１８】
図１〜３を参照する。本考案は、座面１３と底部ブラケット部品とを備え、座面１３が底部ブラケット部品の上端に連結される軽量化折り畳み椅子を提供する。
【００１９】
底部ブラケット部品は底部ブラケット部品の中部のフレーム部材を備え、底部ブラケット部品の中部のフレーム部材は左後連結部材１と、右後連結部材２と、左前連結部材３と、右前連結部材４と、左後連結部材１、右後連結部材２、左前連結部材３、右前連結部材４を順番に連結させる後水平管５と、左水平管６と、前水平管７と、右水平管８とを備える。後水平管５と前水平管７とが対向して設けられ、左水平管６と右水平管８とが対向して設けられる。
【００２０】
左水平管６の両端がそれぞれ左前連結部材３、左後連結部材１に固定連結され、右水平管８の両端がそれぞれ右前連結部材４、右後連結部材２に固定連結される。後水平管５の一端が弾性糸９を介して左後連結部材１に挿脱連結され、他端がリベットを介して右後連結部材２に回転連結される。前水平管７の一端がリベットを介して左前連結部材３に回転連結され、他端が弾性糸９を介して右前連結部材４に挿脱連結される。
【００２１】
左後連結部材１、右後連結部材２の上端に何れも弾性糸９を介して背もたれ管１０、左前連結部材３が挿脱連結されており、右前連結部材４の上端に何れも弾性糸９を介して上ステー管１１が挿脱連結されており、何れの上ステー管１１の上端が弾性糸９を介して弾性糸固定端プラグ１４に挿脱連結される。
【００２２】
具体的には、座面１３の４つの端点がそれぞれ背もたれ管１０又は上ステー管１１の上端に連結され、上ステー管１１の長さが背もたれ管１０の長さよりも小さい。座面１３と背もたれ管１０又は上ステー管１１との連結方式は多く、例えば、座面１３の４つの端点に連結管を設け、連結管が背もたれ管１０又は上ステー管１１に外嵌された後、ネジとナットを介して固定される。或いは座面１３の４つの端点に連結部材を設け、連結部材を介して背もたれ管１０又は上ステー管１１に連結される。要求に応じて異なる連結方式を選択することができるが、本考案は限定しない。
【００２３】
左後連結部材１、右後連結部材２、左前連結部材３、右前連結部材４の下端に何れも弾性糸９を介して脚管１２が挿脱連結されている。何れの脚管１２の下端が弾性糸９を介して弾性糸固定端プラグ１４に挿脱連結され、同時に何れの脚管１２の下端に脚用スリーブ１５が取り付けられており、脚管１２の下端に位置する弾性糸固定端プラグ１４が脚用スリーブ１５の内側に位置する。
【００２４】
具体的には、何れの背もたれ管１０が背もたれ上管１０１と背もたれ下管１０２とを備え、背もたれ上管１０１と背もたれ下管１０２が弾性糸９を介して挿脱連結される。背もたれ下管１０２の下端が弾性糸９を介して左後連結部材１又は右後連結部材２に挿脱連結され、背もたれ上管１０１の上端が弾性糸９を介して弾性糸固定端プラグ１４に挿脱連結される。
【００２５】
本考案の底部ブラケット部品を折り畳む場合、図４に示すように、まず、左水平管６と右水平管８を図４の矢印方向に沿い外へ引き、後水平管５が左後連結部材１から外れ、前水平管７が右前連結部材４から外れる。その後、右水平管８と後水平管５を反転させて、右水平管８と前水平管７とを揃え、後水平管５と左水平管６とを揃え、その状態は図５の通りである。次に前水平管７と右水平管８を押し動かし、前水平管７と右水平管８を図５の矢印方向に回転させ、前水平管７、右水平管８が後水平管５、左水平管６へ接近し、図６に示すようにコンパクトに束状に折り畳まれる。最後に、脚管１２、背もたれ管１０、上ステー管１１を順番に引き抜き、それらが折り畳まれた後の前水平管７、右水平管８、後水平管５、左水平管６へ接近し平行となり、最終的に折り畳まれることを実現させる。最終的に折り畳まれた状態は図７を参照する。
【００２６】
強度と安定性を向上するために、本考案の底部ブラケット部品は高強度航空アルミ材を選択し製作でき、重さが軽くて剛性が良い。使用しない場合、座面１３を底部ブラケット部品から取り外すことができ、本考案の底部ブラケット部品が折り畳まれた後コンパクトに接近することができるので、従来、折り畳み椅子が折り畳まれた後体積がやや大きいという問題を解決した。
【００２７】
本考案は挿脱と回転により、折り畳まれることを実現させ、後水平管５、左水平管６、前水平管７、右水平管８を椅子の中部に設け、使用時に脚管１２の傾斜角度が小さくよく付勢されることを確保し、本考案に係る折り畳み椅子は高い耐荷重要求を満足できる。本考案は、折り畳まれた後、各部材がコンパクトに接近するので、折り畳み体積がより小さくなり、空間を占めず、より便利に携帯と運送されることを確保できる。
【００２８】
上述した実施の形態は単なる本考案の技術的思想及び特徴を説明するために用いられ、その目的は、当業者が本考案の内容を理解してそれに応じて実施できることである。本実施の形態のみにより、本考案の特許請求の範囲を限定することができず、即ち、本考案に開示される趣旨に基づく等価の変化又は修飾は、全て本考案の特許請求の範囲に属するものである。
【符号の説明】
【００２９】
１    左後連結部材
２    右後連結部材
３    左前連結部材
４    右前連結部材
５    後水平管
６    左水平管
７    前水平管
８    右水平管
９    弾性糸
１０    背もたれ管
１１    上ステー管
１２    脚管
１３    座面
１４    弾性糸固定端プラグ
１５    脚用スリーブ
１０１    背もたれ上管
１０２    背もたれ下管
【図１】
0003234613.tif 000003
【図２】
0003234613.tif 000004
【図３】
0003234613.tif 000005
【図４】
0003234613.tif 000006
【図５】
0003234613.tif 000007
【図６】
0003234613.tif 000008
【図７】
0003234613.tif 000009